(57)【要約】【課題】原稿サイズを自動的に適切に求め、スキャンにかかる手間およびミスを低減することができるイメージスキャナ装置を提供する。【解決手段】ガラス台１１に載せられた１または複数の原稿をスキャンすることにより１または複数の原稿を光学的に読み取るスキャン部と、指定された第一解像度よりも小さい第二解像度でスキャン可能なスキャンエリア全体をスキャン部にスキャンさせることにより、１つのプレスキャン画像を取得するプレスキャン処理と、１つのプレスキャン画像から１または複数の原稿の数と位置とを含むプレスキャン情報を取得する情報取得処理と、プレスキャン情報を用いてフルスキャンすべき領域を求め、第一解像度で１または複数の原稿をスキャン部にスキャンさせることにより、それぞれが１または複数の原稿に個々に対応する１または複数のフルスキャン画像を取得するフルスキャン処理とを実行する制御部４０とを備える。【選択図】図４
2015167289.tif 000002
【特許請求の範囲】
【請求項１】
１または複数の原稿を載せるための原稿台と、
前記原稿台に載せられた１または複数の原稿をスキャンすることにより前記１または複数の原稿を光学的に読み取るスキャン部と、
指定された第一解像度よりも小さい第二解像度でスキャン可能なスキャンエリア全体を前記スキャン部にスキャンさせることにより、１つのプレスキャン画像を取得するプレスキャン処理と、前記１つのプレスキャン画像から前記１または複数の原稿の数と位置とを含むプレスキャン情報を取得する情報取得処理と、前記プレスキャン情報を用いてフルスキャンすべき領域を求め、前記第一解像度で前記１または複数の原稿を前記スキャン部にスキャンさせることにより、それぞれが前記１または複数の原稿に個々に対応する１または複数のフルスキャン画像を取得するフルスキャン処理とを実行する制御部とを備える、
イメージスキャナ装置。
【請求項２】
さらに、
前記スキャンエリア全体に対応する位置に所定のパターンが描かれた蓋部を備え、
前記制御部は、前記情報取得処理において、
予め前記所定のパターンを前記第二解像度で前記スキャン部にスキャンさせた結果得られるパターン画像を記憶しておき、
前記パターン画像と前記プレスキャン処理の結果から得られるプレスキャン画像とを比較し、前記プレスキャン画像のうち、前記パターンが描かれていない領域を特定することにより、前記原稿の位置および数を取得する、
請求項１に記載のイメージスキャナ装置。
【請求項３】
前記制御部は、
前記情報取得処理の実行後、前記フルスキャン処理の実行前に、前記情報取得処理において特定された前記原稿の数と位置とを用い、前記１または複数の原稿それぞれの前記フルスキャン処理の順序を設定し、
前記フルスキャン処理において、前記スキャン部に前記１または複数の原稿を前記順序に従って個別にスキャンさせる、
請求項１または２に記載のイメージスキャナ装置。
【請求項４】
前記原稿台は、長方形状の部材であり、
前記スキャン部は、複数の固体撮像素子が列状に配置され、前記原稿台の一辺に平行に配置され、且つ、前記原稿台の他辺方向に移動可能に構成されたセンサ部を備え、
前記制御部は、前記センサ部の移動距離が短くなるように、前記フルスキャン処理の順序を設定する、
請求項３に記載のイメージスキャナ装置。
【請求項５】
前記制御部は、前記１または複数の原稿それぞれについて、前記複数の固体撮像素子のうちの活性化すべき固体撮像素子を特定する、
請求項４に記載のイメージスキャナ装置。
【請求項６】
前記制御部は、
前記情報取得処理の実行後、前記フルスキャン処理の実行前に、前記情報取得処理において特定された前記原稿の数と位置とを用いて前記１または複数の原稿を含む１つのスキャン対象エリアを設定し、
前記フルスキャン処理において、前記スキャン部に前記スキャン対象エリアをスキャンさせ、
前記フルスキャン処理の結果から前記１または複数のフルスキャン画像を抽出する、
請求項１または２に記載のイメージスキャナ装置。
【請求項７】
前記制御部は、前記１または複数のフルスキャン画像のそれぞれに対し、出力データのデータ量が小さくなるように、前記１または複数のフルスキャン画像を回転させる回転処理を行う、
請求項１〜６の何れか１項に記載のイメージスキャナ装置。
【請求項８】
前記制御部は、前記情報取得処理において、
規定のサイズ以外の不定形の原稿については、さらに、前記不定形の原稿の輪郭を取得する、
請求項１〜７の何れか１項に記載のイメージスキャナ装置。
【請求項９】
前記制御部は、前記情報取得処理において、
規定のサイズの定形の原稿については、位置を示す情報として、前記定形の原稿の頂点の座標を取得する、
請求項１〜８の何れか１項に記載のイメージスキャナ装置。
【請求項１０】
制御部が、原稿台に載せられた１または複数の原稿をスキャンすることにより前記１または複数の原稿を光学的に読み取るスキャン部を用い、指定された第一解像度よりも小さい第二解像度でスキャン可能なスキャンエリア全体をスキャンさせることにより、１つのプレスキャン画像を取得するステップと、
制御部が、前記１つのプレスキャン画像から前記１または複数の原稿の数と位置とを含むプレスキャン情報を取得するステップと、
制御部が、前記プレスキャン情報を用いてフルスキャンすべき領域を求め、前記第一解像度で前記１または複数の原稿を前記スキャン部にスキャンさせることにより、それぞれが前記１または複数の原稿に個々に対応する１または複数のフルスキャン画像を取得するステップとを実行する、
イメージスキャン方法。
【発明の詳細な説明】
【技術分野】
【０００１】
本発明は、イメージスキャナ装置およびイメージスキャン方法に関する。
【背景技術】
【０００２】
複写機（コピー機）、スキャナ、あるいは、これらの機能を複数備えた複合機等は、原稿をスキャンするイメージスキャナ装置を備えている。
【０００３】
イメージスキャナ装置には、例えば、フラットベッド式のイメージスキャナ装置がある。フラットベッド式のイメージスキャナ装置は、一般的に、原稿を載せる原稿台と、原稿をスキャンするスキャン部とを備えた本体部と、スキャン時に原稿台および原稿を覆うリッド（蓋）とを備えている。スキャン部は、一般的に、筐体の内側から原稿に光を当てる光源と、原稿からの反射光を受光するセンサ部と、センサ部を移動させるセンサ駆動部とを備えている。リッドには、原稿を押さえるクッション材である押え部材が設けられている。フラットベッド式のイメージスキャナ装置では、原稿台上に固定された原稿を、センサ駆動部により撮像素子を移動させながらスキャンする。
【０００４】
フラットベッド式のイメージスキャナ装置では、一般的に、ユーザに対し、スキャンしたい原稿の原稿サイズ（Ａ４、Ｂ５、フリーサイズ等）、解像度、印刷する場合には出力する用紙のサイズ、データを出力する場合にはデータの形式等を指定させる。フラットベッド式のイメージスキャナ装置は、指定された原稿サイズから求められるスキャン対象エリアを、指定された解像度でスキャンする。
【先行技術文献】
【特許文献】
【０００５】
【特許文献１】特開２００５−２１７５０９号公報
【発明の概要】
【発明が解決しようとする課題】
【０００６】
しかしながら、ユーザによる原稿サイズの指定が適切ではない場合、あるいは、リッドを閉める際の風圧による原稿の位置ずれ等が発生した場合には、原稿の一部がスキャン対象エリアから外れてしまい、原稿全体をスキャンできない場合があるという問題がある。
【０００７】
特に、複数の原稿を同時に原稿台に配置してスキャンする場合、ユーザは、原稿サイズを複数の原稿の全てが含まれるように指定する必要がある。しかし、原稿台の周囲に設けられたガイドに当接させることが出来ない原稿がある場合は、目視では正確な位置の把握が難しい場合があり、原稿サイズの設定ミスが生じる可能性があるという問題がある。さらに、複数の原稿を同時にスキャンする場合は、位置ずれが生じやすくなるという問題がある。
【０００８】
このように、原稿サイズの設定ミスあるいは原稿の位置ずれ等が生じると、ユーザによる原稿サイズの再指定、あるいは、原稿の位置を直す等の作業が必要となる。さらに、再度スキャンを行う必要が生じ、スキャン回数が増大するという問題がある。
【０００９】
これに対し、原稿サイズを検出するセンサを設けたイメージスキャナ装置がある。センサを設けて自動的に原稿サイズを検出させれば、原稿サイズの設定ミスによるスキャン回数の増大等を防止できるが、部品点数が増大するという問題がある。
【００１０】
本発明は上述の課題を解決するためになされたものであり、原稿サイズを自動的に適切に求め、スキャンにかかる手間およびミスを低減することができるイメージスキャナ装置およびイメージスキャン方法を提供することを目的とする。
【課題を解決するための手段】
【００１１】
上記目的を達成するために、本発明の一態様に係るイメージスキャナ装置は、１または複数の原稿を載せるための原稿台と、前記原稿台に載せられた１または複数の原稿をスキャンすることにより前記１または複数の原稿を光学的に読み取るスキャン部と、指定された第一解像度よりも小さい第二解像度でスキャン可能なスキャンエリア全体を前記スキャン部にスキャンさせることにより、１つのプレスキャン画像を取得するプレスキャン処理と、前記１つのプレスキャン画像から前記１または複数の原稿の数と位置とを含むプレスキャン情報を取得する情報取得処理と、前記プレスキャン情報を用いてフルスキャンすべき領域を求め、前記第一解像度で前記１または複数の原稿を前記スキャン部にスキャンさせることにより、それぞれが前記１または複数の原稿に個々に対応する１または複数のフルスキャン画像を取得するフルスキャン処理とを実行する制御部とを備える。
【００１２】
上記構成のイメージスキャナ装置は、スキャン可能なスキャンエリア全体をスキャンするプレスキャン処理を実行するので、原稿をどのような位置に配置しても、適切に装置側で原稿の位置および数を把握することが可能になる。このため、ユーザが原稿サイズを指定する必要がなく、原稿サイズが適切に指定されないことによるスキャン回数の増大を低減することが可能になる。
【００１３】
また、上記構成のイメージスキャナ装置は、プレスキャン処理において、スキャンエリアの一部（＝スキャン対象エリア）のみをスキャンするのではなく、スキャンエリア全体をスキャンするので、原稿の位置ずれが生じた場合でも、原稿の一部がスキャン対象エリアから外れてしまうという問題を防止することができる。
【００１４】
特に、複数の原稿を同時に原稿台に配置してスキャンしたい場合のように、原稿サイズの設定ミスが生じる可能性が高くなる場合は、上記構成のイメージスキャナ装置のように、プレスキャン処理により自動的に原稿の数および位置を把握する構成は有用である。
【００１５】
また、上記構成のイメージスキャナ装置は、原稿の数と位置をプレスキャン処理の結果から求めるので、原稿サイズを検出するためのセンサ等を設ける必要がなく、部品点数の増加を抑えることができる。
【００１６】
さらに、上記構成のイメージスキャナ装置では、原稿の数と位置とを把握するのに、低解像度（第二解像度）でスキャンを行うプレスキャン処理の結果を用いるため、スキャン時間の増大および処理量の増大を押さえることが可能である。
【００１７】
さらに、上記構成のイメージスキャナ装置では、フルスキャン処理において、１または複数の原稿のそれぞれに対応する１または複数のフルスキャン画像を個別に抽出するので、無駄な領域を低減し、データ量を低減することが可能である。
【００１８】
例えば、さらに、前記スキャンエリア全体に対応する位置に所定のパターンが描かれた蓋部を備え、前記制御部は、前記情報取得処理において、予め前記所定のパターンを前記第二解像度で前記スキャン部にスキャンさせた結果得られるパターン画像を記憶しておき、前記パターン画像と前記プレスキャン処理の結果から得られるプレスキャン画像とを比較し、前記プレスキャン画像のうち、前記パターンが描かれていない領域を特定することにより、前記原稿の位置および数を取得しても良い。
【００１９】
上記構成のイメージスキャナ装置は、蓋部に所定のパターンを形成するため、原稿の輪郭を抽出し易くすることが可能になる。所定のパターンをスキャンした結果を予め記憶しておくことで、パターンをスキャンした結果と原稿をスキャンした結果とを比較することで、原稿の輪郭を良好に抽出することが可能になる。
【００２０】
また、前記制御部は、前記情報取得処理の実行後、前記フルスキャン処理の実行前に、前記情報取得処理において特定された前記原稿の数と位置とを用い、前記１または複数の原稿それぞれの前記フルスキャン処理の順序を設定し、前記フルスキャン処理において、前記スキャン部に前記１または複数の原稿を前記順序に従って個別にスキャンさせても良い。この場合には、例えば、前記原稿台は、長方形状の部材であり、前記スキャン部は、複数の固体撮像素子が列状に配置され、前記原稿台の一辺に平行に配置され、且つ、前記原稿台の他辺方向に移動可能に構成されたセンサ部を備え、前記制御部は、前記センサ部の移動距離が短くなるように、前記フルスキャン処理の順序を設定してもよい。また、例えば、前記制御部は、前記１または複数の原稿それぞれについて、前記複数の固体撮像素子のうちの活性化すべき固体撮像素子を特定してもよい。
【００２１】
また、前記制御部は、前記情報取得処理の実行後、前記フルスキャン処理の実行前に、前記情報取得処理において特定された前記原稿の数と位置とを用いて前記１または複数の原稿を含む１つのスキャン対象エリアを設定し、前記フルスキャン処理において、前記スキャン部に前記スキャン対象エリアをスキャンさせ、前記フルスキャン処理の結果から前記１または複数のフルスキャン画像を抽出してもよい。
【００２２】
上記構成のイメージスキャナ装置は、何れも、フルスキャン処理の手順を規定している。何れの方法であっても、フルスキャン画像を適切に取得することが可能になる。
【００２３】
また、前記制御部は、前記１または複数のフルスキャン画像のそれぞれに対し、出力データのデータ量が小さくなるように、前記１または複数のフルスキャン画像を回転させる回転処理を行っても良い。
【００２４】
上記構成のイメージスキャナ装置は、再現画像のデータ量が小さくなるように、フルスキャン画像の回転処理を行うので、余分なデータを削減することができる。また、定型サイズの原稿であれば、原稿の向きを揃えることができるため、画像の再現性を向上させることが可能になる。
【００２５】
また、前記制御部は、前記情報取得処理において、規定のサイズ以外の不定形の原稿については、さらに、前記不定形の原稿の輪郭を取得してもよい。
【００２６】
上記構成のイメージスキャナ装置は、原稿が不定形の原稿であっても、輪郭を取得することで、原稿の大きさあるいは位置等を適切に把握することが可能になる。
【００２７】
また、前記制御部は、前記情報取得処理において、規定のサイズの定形の原稿については、位置を示す情報として、前記定形の原稿の頂点の座標を取得してもよい。
【００２８】
定型の原稿は、形が決まっているため、頂点の座標があれば、位置を把握することが可能になる。
【００２９】
なお、本発明は、このような特徴的な処理部を備えるイメージスキャナ装置として実現することができるだけでなく、イメージスキャナ装置に含まれる特徴的な処理部が実行する処理をステップとするイメージスキャン方法として実現することができる。また、イメージスキャナ装置に含まれる特徴的な処理部としてコンピュータを機能させるためのプログラムまたはイメージスキャン方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体あるいはインターネット等の通信ネットワークを介して流通させることができるのは、言うまでもない。
【発明の効果】
【００３０】
本発明によると、原稿サイズを適切に求め、スキャンにかかる手間およびミスを低減することができる。
【図面の簡単な説明】
【００３１】
【図１】イメージスキャナ装置を備えた複合機の一例を示す外観図である。
【図２Ａ】実施の形態１および２の蓋部（押え部材）に形成されたパターンの一例を示す図である。
【図２Ｂ】実施の形態１および２の蓋部（押え部材）に形成されたパターンの一例を示す図である。
【図３】実施の形態１および２の制御部の構成の一例を示すブロック図である。
【図４】実施の形態１におけるイメージスキャン方法の処理手順の一例を示すフローチャートである。
【図５】ガラス台に載せられた複数の原稿の一例を示す図である。
【図６】実施の形態１および２において、図５に示す複数の原稿をプレスキャン処理した結果を示す図である。
【図７】定型サイズの原稿の一例を示す図である。
【図８】非定型サイズの原稿の一例を示す図である。
【図９】実施の形態１におけるフルスキャン処理のスキャンの順序の一例を示す図である。
【図１０】実施の形態１および２における４つのフルスキャン画像の一例を示す図である。
【図１１】実施の形態１および２における定型サイズのフルスキャン画像に対する画像処理の一例を示す図である。
【図１２】実施の形態１および２における非定型サイズのフルスキャン画像に対する画像処理の一例を示す図である。
【図１３】図６の原稿のそれぞれに対応する再現画像を示す図である。
【図１４】実施の形態２におけるイメージスキャン方法の処理手順の一例を示すフローチャートである。
【図１５】実施の形態２におけるスキャン対象エリアの設定方法の一例を示す図である。
【発明を実施するための形態】
【００３２】
以下、本発明の実施の形態について、図面を用いて詳細に説明する。なお、各図は、必ずしも各寸法あるいは各寸法比等を厳密に図示したものではない。
【００３３】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３４】
（実施の形態１）
本実施の形態のイメージスキャナ装置について、図１〜図１３を基に説明する。
【００３５】
本実施の形態のイメージスキャナ装置は、複合機に設けられたフラットベッド式のイメージスキャナ装置である場合を例に説明する。当該複合機は、本実施の形態のイメージスキャナ装置に加え、プリンタ機能およびＦＡＸ機能等を備えている。なお、本実施の形態では、プリンタ機能およびＦＡＸ機能等については、説明を省略する。
【００３６】
本実施の形態のイメージスキャナ装置は、指定された解像度（以下、適宜「第一解像度」と称する）で原稿をスキャンするフルスキャン処理の実行前に、スキャンエリア全体を指定された解像度よりも小さい低解像度（以下、適宜「第二解像度」と称する）でスキャンするプレスキャン処理と、プレスキャン処理の結果から原稿の数および配置を求める情報取得処理とを実行するように構成されている。
【００３７】
なお、原稿とは、スキャンの対象物であり、紙、フィルム、冊子あるいは本等を含む。
【００３８】
［１−１．イメージスキャナ装置の構成］
イメージスキャナ装置の構成について、図１〜図３を基に説明する。
【００３９】
図１は、本実施の形態のイメージスキャナ装置を備えた複合機１００の一例を示す外観図である。
【００４０】
図１に示すように、複合機１００は、本体部１０と、リッド２０とを備えている。本体部１０とリッド２０とは、ヒンジ３０により接続されている。
【００４１】
本体部１０は、ガラス台１１と、イメージスキャナ機構（センサ部１３を含む機構）と、制御部４０（図１では不図示）とを備えている。
【００４２】
ガラス台１１は、原稿を載せる原稿台の一例であり、本体部１０の筐体の上面に設けられた矩形状の開口を覆うように構成されている。また、筐体の上面には、ガラス台１１の上辺（奥側の辺）、および、左辺（図面左側の辺）に隣接して、原稿をセットする位置を示すガイド部１２が設けられている。ガイド部１２は、例えば、筐体正面に上面に記載された図形であり、当該図形は、位置を示す線および「Ａ４」あるいは「Ｂ５」等の文字を含んでいる。なお、本実施の形態において、原稿をセットするとは、原稿をガラス台１１に載せ、且つ、スキャンするための位置に原稿を位置決めした状態を示す。また、以下の説明では、ガラス台１１の左上を、原稿をセットするときの標準的な位置を示す基準位置とする。基準位置の座標（ｘ、ｙ）は、ここでは、（０，０）である。
【００４３】
イメージスキャナ機構は、原稿のスキャンを行うスキャン部の一例であり、筐体の内側から原稿に光を当てる光源（図示せず）と、原稿からの反射光を受光する撮像素子を備えたセンサ部１３と、センサ部１３をＸ軸方向に移動させるセンサ駆動部（図示せず）とを備えている。より詳細には、センサ部１３には、複数の撮像素子がＹ軸方向に沿って一列に並んで配置されている。センサ部１３は、Ｘ軸方向に平行移動するように構成されている。イメージスキャナ機構は、スキャン時には、ガラス台１１上に固定された原稿に対して光源を用いて光を照射し、センサ部１３を左端に設定された待機位置から右側に向けて移動させながら、センサ部１３の撮像素子に原稿からの反射光を受光させる。センサ部１３は、受光した反射光の強度に応じた信号を出力する。
【００４４】
リッド２０は、蓋部の一例である。リッド２０は、閉じ状態のときに、原稿の裏面に接して原稿をガラス台１１に押し付ける押え部材２１を備えている。
【００４５】
押え部材２１は、例えば、平板状のクッション部材である。押え部材２１の面積は、ガラス台１１の面積と同じか、ガラス台１１の面積よりもある程度大きく設定されている。押え部材２１には、リッド２０が閉じた状態でスキャンエリア全体に対応する領域に、所定のパターンが描かれている。所定のパターンは、原稿の輪郭を検出し易くするためのパターンである。
【００４６】
図２Ａおよび図２Ｂは、押え部材２１に形成されたパターンの一例を示す図である。図２Ａおよび図２Ｂに示すＸ軸、Ｙ軸およびＺ軸は、リッド２０が閉じられた状態における図１のＸ軸、Ｙ軸およびＺ軸に対応している。
【００４７】
詳細には、図２Ａでは、４つのサブパターンを有する白黒パターン（図２Ａの破線部分参照）が、押え部材２１の全面に繰り返し配置されている。白黒パターンは、左上および右下に白色の正方形状のサブパターンが配置され、左下および右上に黒色の正方形状のサブパターンが配置されている。
【００４８】
図２Ｂでは、黒、赤（Ｒ）、緑（Ｇ）、青（Ｂ）の各色の正方形状のサブパターンを組み合わせたカラーパターン（図２Ｂの破線部分参照）が、押え部材２１の全面に繰り返し配置されている。カラーパターンは、４×４の１６個のサブパターンで構成されている。左側から第一列〜第四列、上側から第一行〜第四行とすると、黒色のサブパターンは、第一列の第三行および第三列の第一行の２箇所に配置されている。赤色のサブパターンは、第二列の第四行および第四列の第二行の２箇所に配置されている。緑色のサブパターンは、第二列の第二行および第四列の第四行の２箇所に配置されている。青色のサブパターンは、第一列の第一行、第二行、第四行、第三列の第一〜第四行の６箇所に配置されている。図２Ｂでは、各色のサブパターンが、押え部材２１の全体で偏らず均一になるように配置されている。
【００４９】
図２Ａに示す白黒パターンは、例えば、ＣＣＤ（Ｃｈａｒｇｅ  Ｃｏｕｐｌｅｄ  Ｄｅｖｉｃｅｓ）方式のイメージスキャナ装置のように、白色の光源を用いる場合に有用である。図２Ｂに示すカラーパターンは、例えば、ＣＩＳ（Ｃｏｎｔａｃｔ  Ｉｍａｇｅ  Ｓｅｎｓｏｒ）方式のイメージスキャナ装置のように、光源としてＲＧＢ３色の発光ダイオードを用い、３つの発光ダイオードを順に点灯させてスキャンを行う場合に有用である。
【００５０】
なお、押え部材２１に形成されるパターンは、図２Ａおよび図２Ｂに限られるものではない。当該パターンは、原稿の輪郭を検出し易くするために用いられるため、原稿に表されるパターンとは異なるパターンであることが望ましい。
【００５１】
制御部４０は、イメージスキャナ機構等、イメージスキャナ装置を構成する各部の動作の制御を行う。
【００５２】
図３は、制御部４０の構成の一例を示すブロック図である。図３に示すように、制御部４０は、プレスキャン制御部４１と、プレスキャン結果確認部４２と、フルスキャン設定部４３と、フルスキャン制御部４４と、画像処理部４５と、再現画像出力部４６とを備えている。各部の詳細については、動作の欄で記載する。
【００５３】
なお、制御部４０は、本実施の形態では、ＬＳＩ（Ｌａｒｇｅ  Ｓｃａｌｅ  Ｉｎｔｅｇｒａｔｉｏｎ：大規模集積回路）を用いて構成されている場合を例に説明するが、これに限るものではない。例えば、本実施の形態の裏写り除去方法を実行するコンピュータプログラム（ソフトウェア）を、ＣＰＵ（Ｃｅｎｔｒａｌ  Ｐｒｏｃｅｓｓｉｎｇ  Ｕｎｉｔ）が実行することにより実現されても構わない。
【００５４】
ヒンジ３０は、上述したように、本体部１０とリッド２０とを接続している部材であり、リッド２０を本体部１０との間の角度が所定の角度になる姿勢で、例えば、４６度、６０度等の姿勢で保持できるように構成されている。
【００５５】
［１−２．複合機１００（イメージスキャナ装置）の動作］
本実施の形態の複合機１００（イメージスキャナ装置）の動作について、図４〜図１３を基に説明する。
【００５６】
図４は、本実施の形態におけるイメージスキャン方法の処理手順の一例を示すフローチャートである。
【００５７】
なお、本実施の形態では、原稿の位置の取得、および、後述する画像処理（回転処理）は、定型サイズの原稿と非定型サイズの原稿とに分類して実施される。定型サイズの原稿には、例えば、Ａ４、Ｂ５等がある。非定型サイズの原稿には、例えば、名刺、写真、チラシ等の切り抜き、コースター等がある。
【００５８】
［１−２−１．プレスキャン処理］
制御部４０のプレスキャン制御部４１は、ユーザの操作により原稿のスキャンが要求されると、指定された第一解像度よりも小さい第二解像度でスキャンエリア全体をイメージスキャナ機構にスキャンさせることにより、１つのプレスキャン画像を取得するプレスキャン処理を行う（Ｓ１１）。プレスキャン処理では、１つのプレスキャン画像が取得される。
【００５９】
プレスキャン処理は、フルスキャン処理の前に、フルスキャン処理の実行における有用な情報、あるいは、再現画像の生成における有用な情報を得るために行われる。なお、本実施の形態において、スキャンエリアは、センサ部１３によりスキャン可能なエリアを指す。
【００６０】
尚、プレスキャン処理を実行することにより得られるスキャン画像を、プレビュー画像として所定の表示装置に表示するように構成してもよい。また、プレビュー画像上で、フルスキャン処理の範囲等を修正するように構成してもよい。
【００６１】
図５は、ガラス台１１に載せられた複数の原稿の一例を示す図である。図５は、筐体の外側から見た図である。図５に示すＸ軸、Ｙ軸およびＺ軸は、図１のＸ軸、Ｙ軸およびＺ軸に対応している。以下の説明では、ガラス台１１上に複数の原稿が載置されている場合を例に説明するが、原稿が１つの場合にも適用できる。図５では、スキャンエリアＡ０内に、定型サイズの原稿Ｃ１〜Ｃ３と、非定型サイズの原稿Ｃ４とが配置されている。原稿Ｃ１およびＣ２の大きさは同じであり、原稿Ｃ３の大きさは原稿Ｃ１およびＣ２よりも小さい。また、原稿Ｃ１およびＣ２は、各辺がＸ軸およびＹ軸に平行ではなく、傾いた状態に置かれている。
【００６２】
図６は、図５に示す複数の原稿をプレスキャン処理した結果を示す図である。図６は、図５に示す複数の原稿を（スキャンエリアＡ０を）筐体の内側からみた図に相当する。図６に示すＸ軸、Ｙ軸およびＺ軸は、図１のＸ軸、Ｙ軸およびＺ軸に対応している。なお、図６では、押え部材２１に白黒パターンが形成されている場合を図示しているが、これに限るものではなく、原稿が載せられている領域以外の領域は、押え部材２１に描かれたパターンが再現される。また、図６では、説明のため、各原稿の内容（文字、図形等、原稿に表されている画像）については、記載を省略している。
【００６３】
なお、図５および図６において、原稿台の大きさおよび各原稿の寸法比（原稿の縦横比を含む）は、厳密に記載したものではない。
【００６４】
［１−２−２．プレスキャン情報の取得］
プレスキャン結果確認部４２は、プレスキャン処理の結果から原稿の数および位置を含むプレスキャン情報を取得する情報取得処理を実行する（Ｓ１２）。なお、プレスキャン情報として、原稿のそれぞれについて、原稿の輪郭等を取得しても良い。
【００６５】
情報取得処理では、押え部材２１に形成されたパターンを第二解像度でスキャンした結果から得られるプレパターン画像を予め記憶しておき、当該プレパターン画像を利用してプレスキャン情報を取得する。
【００６６】
プレスキャン結果確認部４２は、プレスキャン処理の結果から得られた画像（以下、適宜「プレスキャン画像」と称する）とプレパターン画像との差異から、プレスキャン画像においてパターンが写っていない領域を特定する。プレスキャン結果確認部４２は、当該領域の数を原稿の数として求める。図６では、原稿の数は４である。
【００６７】
さらに、プレスキャン結果確認部４２は、特定された領域それぞれの位置を求める。以下、図７および図８を参照して、定型サイズの原稿および非定型サイズの原稿のそれぞれについて、原稿の位置の求め方を説明する。
【００６８】
図７は、定型サイズの原稿ＣＡの一例を示す図である。図７では、原稿ＣＡのプレスキャン処理の結果を示している。また、図７では、説明のため、１つの原稿ＣＡについて示し、押え部材２１のパターンについては記載していない。さらに、図７では、説明のため、原稿の内容については記載を省略している。
【００６９】
定型サイズの場合、長辺の長さと短辺の長さと比が決まっているため、どの頂点を利用するかを予め規定しておけば、２つの頂点の座標により、原稿の位置、原稿のサイズ（寸法）、回転角度を求めることが可能である。本実施の形態では、下辺または左辺を構成する長辺の両側の頂点を用いることとする。
【００７０】
図７に示す定型サイズの原稿ＣＡの場合、原稿の位置は、下辺を構成する長辺の両側の頂点ＰＡ１の座標（ＸＡ３、ＹＡ２）と頂点ＰＡ２の座標（ＸＡ１、ＹＡ３）とで表される。なお、下辺または左辺を構成する長辺の両側の頂点を用いることとしていること、および、長辺の長さと短辺の長さと比が決まっているため、頂点ＰＡ１および頂点ＰＡ２の座標から、頂点ＰＡ３の座標（ＸＡ０、ＹＡ１）および頂点ＰＡ４の座標（ＸＡ２、ＹＡ０）、原稿の傾き、原稿の大きさ等を求めることが可能である。なお、図７において、長方形ＡＡは、原稿ＣＡを含み、各辺がＸ軸またはＹ軸に平行、且つ、面積が最小となる長方形である。頂点ＰＡ１〜ＰＡ４は、長方形ＡＡの長辺または短辺上の点である。
【００７１】
なお、原稿の位置を求めるために利用する頂点は、下辺または左辺を構成する長辺の両側の頂点に限られるものではなく、上辺または右辺を構成する短辺の両側の頂点等、他の頂点であっても良い。
【００７２】
また、プレスキャン情報には、原稿のサイズ（寸法）、回転角度等を含めても良い。また、プレスキャン情報に、頂点が短辺の両端の頂点か長辺の両端の頂点かの情報を含め、利用する頂点を、例えば、下辺の両側の頂点に設定しても良い。プレスキャン情報に含める頂点の座標等の情報は、任意に組み合わせることができる。
【００７３】
図８は、非定型サイズの原稿ＣＢの一例を示す図である。図８では、原稿ＣＢのプレスキャン処理結果を示している。また、図８では、説明のため、１つの原稿ＣＢについて示し、押え部材２１のパターンについては記載していない。さらに、図８では、説明のため、原稿の内容については記載を省略している。
【００７４】
非定型サイズの原稿ＣＢの場合は、大きさおよび形状が不定形であるため、２つの頂点の座標では原稿の位置を求めることができない。そこで、本実施の形態では、原稿ＣＢを含む最小サイズの長方形ＡＢを求め、原稿ＣＢと長方形ＡＢとの接点（４点）の座標を原稿の位置として取得する。図８では、原稿ＣＢの位置は、頂点ＰＢ１の座標（ＸＢ３、ＹＢ１）、頂点ＰＢ２の座標（ＸＢ２、ＹＢ３）、頂点ＰＢ３の座標（ＸＢ０、ＹＢ２）、および、頂点ＰＢ４の座標（ＸＢ１、ＹＢ０）で表される。また、非定型サイズの原稿の場合、プレスキャン情報として、原稿の輪郭を示す情報を含めても構わない。
【００７５】
なお、定型サイズおよび非定型サイズの原稿の位置を求める方法は、これらに限られるものではない。定型サイズおよび非定型サイズの何れも、図８に示す原稿ＣＢと同じ方法で原稿の位置を求めても良い。この場合は、導出方法が統一されるため、装置構成を簡素化することができる。また、原稿の位置として、頂点以外のパラメータを利用しても良い。
【００７６】
本実施の形態では、図６に示す原稿Ｃ１〜Ｃ４のうち、定型サイズの原稿Ｃ１〜Ｃ３については、原稿ＣＡと同じ方法で原稿の位置を取得する。また、非定型サイズの原稿Ｃ４については、原稿ＣＢと同じ方法で原稿の位置を取得する。
【００７７】
フルスキャン設定部４３は、プレスキャン結果確認部４２が求めた原稿の数および位置に基づいて、フルスキャン処理におけるスキャンの順序を設定する（Ｓ２０）。
【００７８】
図９は、図５に示す原稿Ｃ１〜Ｃ４について、フルスキャン処理におけるスキャンの順序の一例を示す図である。図９は、筐体の外側から見た図である。図９に示すように、本実施の形態では、原点に近い原稿から順にスキャンの順序を設定する。つまり、本実施の形態では、原稿Ｃ１〜Ｃ４の順にスキャンの順序が設定される。
【００７９】
なお、スキャンの順序はこれに限られるものではなく、前の順序の原稿に最も近い原稿を順次選択する等、他の順序であっても構わない。スキャンの順序は、センサ部１３の総移動距離が短くなるように設定することが好ましい。
【００８０】
［１−２−３．フルスキャン処理］
フルスキャン制御部４４は、指定された高解像度で、フルスキャン設定部４３により指定された順序でそれぞれの原稿のスキャンを行う（Ｓ３０）。
【００８１】
なお、フルスキャン制御部４４は、センサ部１３を図９に示す矢印の順に移動させる。正確には、センサ部１３はＹ軸方向には移動しないため、フルスキャン制御部４４は、センサ部１３をＸ軸の正の方向または負の方向に移動させる。本実施の形態では、プレスキャン結果確認部４２において、原稿Ｃ１〜原稿Ｃ４の位置が特定され、原稿Ｃ１〜原稿Ｃ４が配置されている領域が特定されているため、原稿Ｃ１〜Ｃ４が配置されている領域のデータを取得する。これにより、フルスキャン制御部４４では、原稿部分のデータを抽出した状態で、原稿それぞれのフルスキャン画像を取得することが可能になる。
【００８２】
センサ部１３は、プレスキャン処理および情報取得処理で取得した原稿Ｃ１〜原稿Ｃ４の位置から、原稿のスキャンを行う一部の撮像素子を活性化し、他の撮像素子を非活性化するように構成してもよい。例えば、センサ部１３が原稿Ｃ１をスキャンしているときは、原稿Ｃ１の位置に対応する撮像素子を活性化し、原稿Ｃ２または原稿が載置されていない領域に対応する撮像素子を非活性化しても構わない。
【００８３】
また、センサ部１３の移動の際、原稿のスキャンを行わない区間、例えば、原稿Ｃ１の右端から原稿Ｃ２の左端に移動する間等には、センサ部１３の移動速度を早くしても構わない。
【００８４】
フルスキャン制御部４４は、フルスキャン処理の結果から得られたフルスキャン画像を画像処理部４５に出力する。言い換えると、フルスキャン制御部４４は、原稿Ｃ１〜Ｃ４に対応する４つのフルスキャン画像を画像処理部４５に出力する。
【００８５】
図１０は、フルスキャン処理の結果から得られる４つのフルスキャン画像の一例を示す図である。なお、図１０では、説明のため、原稿の内容については記載を省略している。
【００８６】
［１−２−４．画像処理］
画像処理部４５は、４つのフルスキャン画像のそれぞれに対して画像処理を実行する（Ｓ４０）。
【００８７】
本実施の形態では、画像処理部４５は、画像処理として回転処理を行う。以下、図１１および図１２を参照して、回転処理について説明する。
【００８８】
図１１は、定型サイズのフルスキャン画像に対する画像処理の一例を示す図であり、図７に対応している。図１１の（ａ）は、回転処理前の原稿ＣＡを、図１１の（ｂ）は回転処理後の原稿ＣＡをそれぞれ示している。図１１では、説明のため、原稿の内容については記載を省略している。また、図１１の（ａ）では、説明のため、図７の長方形ＡＡに対応する部分を図示している。
【００８９】
画像処理部４５は、定型サイズの原稿ＣＡについては、図１１に示すように、長辺がＸ軸またはＹ軸に平行に配置されるように回転処理を行う。なお、長辺がＸ軸またはＹ軸に平行に配置されている原稿については、回転処理を行わないように構成してもよい。例えば、図１１に示す原稿ＣＡの場合、画像処理部４５は、頂点ＰＡ１および頂点ＰＡ２によって示される長辺がＸ軸に水平となるように、原稿ＣＡを反時計回りに回転させる。
【００９０】
図１２は、非定型サイズのフルスキャン画像に対する画像処理の一例を示す図であり、図８に対応している。図１１では、説明のため、原稿の内容については記載を省略している。
【００９１】
画像処理部４５は、非定型サイズの原稿ＣＢについては、図１２に示すように、当該原稿を囲む長方形のサイズを最小化するように、回転処理を行う。なお、原稿内に文字が表されている場合等には、文字の方向に応じて回転処理を行ってもよい。また、原稿ＣＢを囲む長方形のサイズが元々最小である場合、あるいは、文字の方向が所定の方向である場合等には、回転処理を行わなくても構わない。なお、原稿が表されている領域以外の領域、つまり、図１２の（ｂ）の黒色の部分は、背景色に補正してもよいし、ＧＩＦ等の形式の再現画像を出力する場合は、透過画像としてもよい。
【００９２】
本実施の形態では、原稿Ｃ１〜Ｃ４に対応するフルスキャン画像のうち、定型サイズの原稿Ｃ１〜Ｃ３に対応するフルスキャン画像については、原稿ＣＡと同じ方法で回転処理を行う。また、非定型サイズの原稿Ｃ４に対応するフルスキャン画像については、原稿ＣＢと同じ方法で回転処理を行う。
【００９３】
再現画像出力部４６は、画像処理部４５における画像処理後の４つのフルスキャン画像の形式を、所定の形式、例えば、ＪＰＧ、ＧＩＦあるいはビットマップ等の形式に変換した再現画像を出力する。
【００９４】
図１３は、図６の原稿Ｃ１〜Ｃ４それぞれに対応する再現画像を示す図である。図１３では、説明のため、原稿の内容については記載を省略している。図１３に示すように、定型サイズの原稿Ｃ１〜Ｃ３は、方向が揃えられている。なお、図１３の原稿Ｃ４については、回転処理が行われていない場合を例示している。
【００９５】
［１−３．効果等］
本実施の形態のイメージスキャナ装置を備えた複合機１００は、ユーザが指定した原稿サイズから求められるスキャン対象エリア（スキャンエリアの一部）のみをスキャンするのではなく、スキャンエリア全体をスキャンする。
【００９６】
このため、本実施の形態の複合機１００では、原稿の位置ずれが生じてスキャン対象エリアから外れた場合、あるいは、ユーザが指定した原稿サイズが正しくない場合でも、原稿の一部がスキャンされないという問題を防止でき、全ての原稿のフルスキャン画像を良好に取得することができる。これにより、本実施の形態の複合機１００では、スキャンのやり直しが生じるのを防止し、スキャン回数の増大を低減し、消費電力の低減を図ることが可能になる。
【００９７】
特に、複数の原稿を同時に原稿台に配置してスキャンしたい場合のように、原稿サイズの設定ミスが生じる可能性が高くなる場合は、本実施の形態の複合機１００のように、プレスキャン処理により自動的に原稿の数および位置を把握する構成は有用である。
【００９８】
なお、フラットベッド式のイメージスキャナ装置には、指定された原稿サイズから求められるスキャン対象エリアを、指定された解像度よりも小さい低解像度でスキャンするプレスキャン処理を実行する装置がある。しかしながら、スキャン対象エリアのみをスキャンする場合は、上述した原稿の位置ずれが生じてスキャン対象エリアから外れた場合、あるいは、ユーザが指定した原稿サイズが正しくない場合には、原稿の一部がスキャンされないという問題を防止することは困難である。
【００９９】
さらに、本実施の形態の複合機１００は、プレスキャン処理において、スキャンエリア全体をスキャンするので、ユーザは、原稿サイズを意識することなく、原稿台の任意の位置に原稿を配置することが可能になり、作業性が向上する。
【０１００】
また、本実施の形態の複合機１００は、プレスキャン処理において、上述したように、指定された解像度よりも小さい低解像度でイメージスキャナ機構にスキャンさせる。低解像度でスキャンさせるため、プレスキャン処理は、フルスキャン処理よりも短い時間で実行でき、消費電力も抑えることが可能である。
【０１０１】
本実施の形態の複合機１００は、原稿の数と位置をプレスキャン処理の結果から得られるプレスキャン画像から求めるので、原稿サイズを検出するためのセンサ等を設ける必要がなく、部品点数の増加を抑えることができる。
【０１０２】
本実施の形態の複合機１００では、原稿の数と位置とを把握するのにフルスキャン処理の結果ではなく、プレスキャン処理の結果を用いるため、スキャン時間の増大および処理量の増大を押さえることが可能である。
【０１０３】
さらに、本実施の形態の複合機１００は、フルスキャン処理において、各原稿に対応するフルスキャン画像を取得するため、スキャンエリア全体を指定された解像度でスキャンした結果をそのままデータとして出力する場合に比べ、余分なデータを削除して、データ量を低減させることができる。
【０１０４】
また、本実施の形態の複合機１００は、押え部材２１に、図２Ａおよび図２Ｂに示すような所定のパターンを設けているので、原稿の外形の把握が容易になる。
【０１０５】
また、本実施の形態の複合機１００は、フルスキャン画像に対して回転処理を行うので、原稿の向きが傾いていても、フルスキャン画像を形式変換して得られる再現画像のデータ量が増大するのを押さえることが可能になる。
【０１０６】
（実施の形態２）
本実施の形態イメージスキャナ装置について、図１４および図１５を基に説明する。
【０１０７】
本実施の形態のイメージスキャナ装置は、実施の形態１のイメージスキャナ装置と同様に、複合機に設けられたフラットベッド式のイメージスキャナ装置である場合を例に説明する。
【０１０８】
本実施の形態の複合機は、実施の形態１の複合機１００とは、構成は同じであるが、フルスキャン処理の実行方法が異なる。以下、本実施の形態の複合機（イメージスキャナ装置）の動作について説明する。
【０１０９】
［２−１．イメージスキャナ装置の動作］
本実施の形態の複合機１００（イメージスキャナ装置）の動作について、図１４を基に説明する。
【０１１０】
図１４は、本実施の形態におけるイメージスキャン方法の処理手順の一例を示すフローチャートである。
【０１１１】
制御部４０のプレスキャン制御部４１は、ユーザの操作により原稿のスキャンが要求されると、指定された第一解像度よりも小さい第二解像度でスキャンエリア全体をイメージスキャナ機構にスキャンさせることにより、１つのプレスキャン画像を取得するプレスキャン処理を行う（Ｓ１１）。なお、プレスキャン処理の処理手順は、実施の形態１と同じである。
【０１１２】
プレスキャン結果確認部４２は、プレスキャン処理の結果から原稿の数および位置を含むプレスキャン情報を取得する情報取得処理を実行する（Ｓ１２）。なお、情報取得処理の処理手順は、実施の形態１と同じである。
【０１１３】
フルスキャン設定部４３は、プレスキャン結果確認部４２が求めた原稿の数および位置に基づいて、１つのスキャン対象エリアの設定を行う（Ｓ５０）。スキャン対象エリアは、ガラス台１１に置かれた全ての原稿が含まれる長方形状のエリアであり、面積が最小となるように設定する。
【０１１４】
図１５は、スキャン対象エリアの設定方法の一例を示す図である。図１５では、スキャンエリアＡ０内の破線で囲んだ領域がスキャン対象エリアＡ１として設定されている。
【０１１５】
フルスキャン制御部４４は、指定された高解像度でスキャン対象エリアのスキャンを行い、１つのスキャン画像を取得する（Ｓ６０）。
【０１１６】
画像処理部４５は、フルスキャン制御部４４におけるフルスキャン処理の結果、つまり、Ｓ６０において取得した１つのスキャン画像から、各原稿に対応する４つのフルスキャン画像を抽出する抽出処理を実行する（Ｓ７０）。
【０１１７】
抽出処理では、押え部材２１に形成されたパターンを第一解像度でスキャンした結果から得られるフルパターン画像を予め記憶しておき、当該フルパターン画像を利用してフルスキャン画像を抽出する。
【０１１８】
画像処理部４５は、フルパターン画像とフルスキャン処理の結果から得られる画像との差異から、フルスキャン処理の結果から得られる画像においてパターンが写っていない領域を特定する。画像処理部４５は、特定された領域を、フルスキャン画像として抽出する。図１５の場合、４つのフルスキャン画像が抽出される。
【０１１９】
画像処理部４５は、さらに、４つのフルスキャン画像のそれぞれに対して回転処理を実行する（Ｓ４０）。回転処理の処理手順は、実施の形態１と同じである。
【０１２０】
［２−２．効果等］
実施の形態１の複合機１００がフルスキャン処理において各原稿に対応するフルスキャン画像を切り出した状態で取得するのに対し、本実施の形態の複合機１００は、フルスキャン処理の結果から得られる１つの画像から、画像処理により各原稿に対応するフルスキャン画像を抽出する。本実施の形態のイメージスキャン方法を用いた場合でも、実施の形態１と同様に、良好なフルスキャン画像を取得することができる。
【０１２１】
本実施の形態の複合機１００は、実施の形態１と同様に、ユーザが指定した原稿サイズから求められるスキャン対象エリア（スキャンエリアの一部）のみをスキャンするのではなく、スキャンエリア全体をスキャンする。
【０１２２】
従って、本実施の形態の複合機１００は、原稿の位置ずれが生じてスキャン対象エリアから外れた場合、あるいは、ユーザが指定した原稿サイズが正しくない場合でも、原稿の一部がスキャンされないという問題を防止でき、全ての原稿のフルスキャン画像を良好に取得することができる。これにより、本実施の形態の複合機１００では、スキャンのやり直しが生じるのを防止し、スキャン回数の増大を低減し、消費電力の低減を図ることが可能になる。
【０１２３】
さらに、本実施の形態の複合機１００は、実施の形態１と同様に、プレスキャン処理において、スキャンエリア全体をスキャンするので、ユーザは、原稿サイズを意識することなく、原稿台の任意の位置に原稿を配置することが可能になり、作業性が向上する。
【０１２４】
また、本実施の形態の複合機１００は、実施の形態１と同様に、プレスキャン処理において、上述したように、指定された解像度よりも小さい低解像度でイメージスキャナ機構にスキャンさせる。低解像度でスキャンさせるため、プレスキャン処理は、フルスキャン処理よりも短い時間で実行でき、消費電力も抑えることが可能である。
【０１２５】
本実施の形態の複合機１００は、実施の形態１と同様に、原稿の数と位置をプレスキャン処理の結果から得られるプレスキャン画像から求めるので、原稿サイズを検出するためのセンサ等を設ける必要がなく、部品点数の増加を抑えることができる。
【０１２６】
本実施の形態の複合機１００は、実施の形態１と同様に、原稿の数と位置とを把握するのにフルスキャン処理の結果ではなく、プレスキャン処理の結果を用いるため、スキャン時間の増大および処理量の増大を押さえることが可能である。
【０１２７】
さらに、本実施の形態の複合機１００は、実施の形態１と同様に、フルスキャン処理において、各原稿に対応するフルスキャン画像を取得するため、スキャンエリア全体を指定された解像度でスキャンした結果をそのままデータとして出力する場合に比べ、余分なデータを削除して、データ量を低減させることができる。
【０１２８】
また、本実施の形態の複合機１００は、実施の形態１と同様に、押え部材２１に、図２Ａおよび図２Ｂに示すような所定のパターンを設けているので、原稿の外形の把握が容易になる。
【０１２９】
また、本実施の形態の複合機１００は、実施の形態１と同様に、フルスキャン画像に対して回転処理を行うので、原稿の向きが傾いていても、フルスキャン画像を形式変換して得られる再現画像のデータ量が増大するのを押さえることが可能になる。
【０１３０】
（他の実施の形態）
以上、本発明の実施の形態に係るイメージスキャナ装置について説明したが、本発明は、この実施の形態に限定されるものではない。
【０１３１】
（１）上記実施の形態１および２では、イメージスキャナ装置が複合機に備えられている場合を例に説明したが、これに限るものではない。イメージスキャナ装置単独で構成されていても良いし、複写機（コピー機）等、他の装置に搭載されていても良い。
【０１３２】
（２）また、イメージスキャナ装置の制御部４０は、具体的には、マイクロプロセッサ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、制御部４０は、その機能を達成する。ここでコンピュータプログラムは、所定の機能を達成するために、コンピュータに対する指令を示す命令コードが複数個組み合わされて構成されたものである。
【０１３３】
さらに、イメージスキャナ装置の制御部４０の一部または全部は、１個のシステムＬＳＩから構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１３４】
さらにまた、イメージスキャナ装置の制御部４０の一部または全部は、各装置に脱着可能なＩＣ（Ｉｎｔｅｇｒａｔｅｄ  Ｃｉｒｃｕｉｔ）カードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１３５】
また、本発明は、上記に示すイメージスキャン方法であるとしても良い。また、本発明は、これらの方法をコンピュータにより実現するコンピュータプログラムであるとしても良いし、上記コンピュータプログラムからなるデジタル信号であるとしても良い。
【０１３６】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ（Ｄｉｇｉｔａｌ  Ｖｅｒｓａｔｉｌｅ  Ｄｉｓｃ）、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１３７】
また、本発明は、上記コンピュータプログラムまたは上記デジタル信号を、電気通信回線、無線または有線通信回線、インターネットを代表とするネットワーク、データ放送等を経由して伝送するものとしても良い。
【０１３８】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１３９】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１４０】
さらに、上記実施の形態及び上記変形例をそれぞれ組み合わせるとしても良い。
【産業上の利用可能性】
【０１４１】
上記実施の形態のイメージスキャナ装置およびイメージスキャン方法は、複写機、スキャナ、あるいは、これらの機能を複数備えた複合機等に用いられるイメージスキャナ装置およびイメージスキャン方法として有用である。
【符号の説明】
【０１４２】
１０    本体部
１１    ガラス台
１２    ガイド部
１３    センサ部
２０    リッド
２１    押え部材
３０    ヒンジ
４０    制御部
４１    プレスキャン制御部
４２    プレスキャン結果確認部
４３    フルスキャン設定部
４４    フルスキャン制御部
４５    画像処理部
４６    再現画像出力部
１００  複合機
Ａ０  スキャンエリア
ＡＡ、ＡＢ  長方形
Ｃ１、Ｃ２、Ｃ３、Ｃ４、ＣＡ、ＣＢ  原稿
ＰＡ１、ＰＡ２、ＰＡ３、ＰＡ４、ＰＢ１、ＰＢ２、ＰＢ３、ＰＢ４  頂点
【図１】
2015167289.tif 000003
【図２Ａ】
2015167289.tif 000004
【図２Ｂ】
2015167289.tif 000005
【図３】
2015167289.tif 000006
【図４】
2015167289.tif 000007
【図５】
2015167289.tif 000008
【図６】
2015167289.tif 000009
【図７】
2015167289.tif 000010
【図８】
2015167289.tif 000011
【図９】
2015167289.tif 000012
【図１０】
2015167289.tif 000013
【図１１】
2015167289.tif 000014
【図１２】
2015167289.tif 000015
【図１３】
2015167289.tif 000016
【図１４】
2015167289.tif 000017
【図１５】
2015167289.tif 000018